(57)【要約】【課題】効率よく誘導起電力を発生させることができる電子機器を実現する。【解決手段】発電装置（５０）は、筐体（１０）の下端部（１１ａ）の側から上端部（１１ｂ）の側に向かって延伸する装置外殻（５１）と、装置外殻（５１）の延伸方向に移動して誘導起電力を発生させる可動部（５２）と、装置外殻（５１）の下端（５１ａ）に一端（５４ａ）が接続され、可動部（５２）に他端（５４ｂ）が接続されたばね５４と、を備えている。【選択図】図３
2019004645.tif 000002
【特許請求の範囲】
【請求項１】
筐体内に発電装置を備えた電子機器において、
前記発電装置は、
前記筐体の正面視下端部側から正面視上端部側に向かって延伸する装置外殻と、
前記装置外殻内に収容され、当該装置外殻の延伸方向に移動して誘導起電力を発生させる可動部と、
前記装置外殻の下端に一端が接続され、前記可動部に他端が接続されたばねと、
を備えている
ことを特徴とする電子機器。
【請求項２】
前記筐体の表面には、正面視下端部側に操作子が設けられていることを特徴とする請求項１に記載の電子機器。
【請求項３】
前記筐体の正面視上端部には、他の機器を操作するための操作信号を発信する信号発信部が設けられていることを特徴とする請求項１に記載の電子機器。
【請求項４】
前記装置外殻は、前記筐体の正面視下端部から正面視上端部に亘って延伸している
ことを特徴とする請求項１に記載の電子機器。
【発明の詳細な説明】
【技術分野】
【０００１】
本発明は、発電装置を備えた電子機器に関する。
【背景技術】
【０００２】
近年、スマートフォン等の携帯端末では、表示面積の拡大や機能向上により消費電力が多くなり、電池切れの問題が発生している。またリモコン等低消費電力であるものは、バッテリーレス化が求められている。
【０００３】
そこで、従来、運動エネルギーを電力に変換することで誘導起電力を発生させる発電装置を備える電子機器が知られている（例えば、特許文献１および特許文献２参照）。
【先行技術文献】
【特許文献】
【０００４】
【特許文献１】特開２００９−８１９６６号公報（２００９年４月１６日公開）
【特許文献２】特開２００９−８７６４８号公報（２００９年４月２３日公開）
【発明の概要】
【発明が解決しようとする課題】
【０００５】
誘導起電力を発生させる発電装置を備える電子機器では、ユーザが機器を動かすことによって誘導起電力を発生させる。しかしながら、上述のような従来技術では、発電が必ずしも効率的に行われていないという問題があった。
【０００６】
本発明の一態様は、上述した事情に鑑みてなされたものであり、効率よく誘導起電力を発生させることができる電子機器を実現することを目的とする。
【課題を解決するための手段】
【０００７】
上記の課題を解決するために、本発明の一態様に係る電子機器は、筐体内に発電装置を備え、前記発電装置は、前記筐体の正面視下端部側から正面視上端部側に向かって延伸する装置外殻と、前記装置外殻内に収容され、当該装置外殻の延伸方向に移動して誘導起電力を発生させる可動部と、前記装置外殻の下端に一端が接続され、前記可動部に他端が接続されたばねと、を備えている。
【発明の効果】
【０００８】
本発明の一態様によれば、効率よく誘導起電力を発生させることができるという効果を奏する。
【図面の簡単な説明】
【０００９】
【図１】本発明の実施形態１の電子機器の外観構成を示す図である。
【図２】電子機器の概略構成を示すブロック図である。
【図３】発電装置の配置構成と、装置構成と、を模式的に示す図である。
【図４】片ばねの場合と、両ばねの場合との、可動部の振幅の大きさの比較を示す表である。
【図５】発電装置の動作を示す図である。
【図６】（ａ）〜（ｉ）は、電子機器に対してユーザが発電を行うために行う回転運動を示す図である。
【図７】（ａ）〜（ｉ）は、電子機器に対してユーザが発電を行うために行う回転運動の別の例を示す図である。
【図８】（ａ）及び（ｂ）は、回転運動と上下運動とにおける表示画面の見やすさの比較を示す図である。
【図９】実施形態２の電子機器の外観構成を示す図である。
【図１０】電子機器の概略構成を示すブロック図である。
【図１１】発電装置の配置構成と、装置構成と、を模式的に示す図である。
【図１２】（ａ）〜（ｃ）は実施形態３の電子機器における発電装置の配置構成を模式的に示す図である。
【発明を実施するための形態】
【００１０】
〔実施形態１〕
以下、本発明の実施形態１について、詳細に説明する。
【００１１】
〔電子機器１０１の構成について〕
図１は、電子機器１０１の外観構成を示す図であり、図２は電子機器１０１の概略構成を示すブロック図である。
【００１２】
電子機器１０１は、スマートフォン、タブレットＰＣ、およびゲーム機器などの表示画面３を有する携帯型端末である。電子機器１０１は、図１に示すように、筐体１０の表面１０１ａに、表示画面３と、表示画面３の下方に設けられた少なくとも１つ以上の操作ボタン５（５ａ，５ｂ）と、を備えている。電子機器１０１のユーザは、操作ボタン５に対して操作を行って、電子機器１０１に対する各種操作を行うことができる。
【００１３】
また、電子機器１０１は、筐体１０の表面１０１ａであって、表示画面３の上方に、カメラレンズ６を備えている構成であってもよい。
【００１４】
図２に示すように、電子機器１０１は、負荷回路２０、電源回路３０、発電装置５０、蓄電部３５を含んでいる。
【００１５】
負荷回路２０は、マイコン２１と、表示画面３と、操作ボタン５と、を含んでいる。マイコン２１は、電子機器１０１の各部を制御する制御部として機能する。マイコン２１は、集積回路（ＩＣチップ）等に形成された論理回路（ハードウェア）によって実現してもよいし、ＣＰＵ（Ｃｅｎｔｒａｌ  Ｐｒｏｃｅｓｓｉｎｇ  Ｕｎｉｔ）を用いてソフトウェアによって実現してもよい。
【００１６】
表示画面３は、表示制御部としても機能するマイコン２１からの制御信号に応じて、画像をディスプレイ表示することができるデバイスである。また、表示画面３は、ディスプレイ表示したアイコンに対するユーザのタッチ操作を受けるタッチパネルディスプレイであってもよい。
【００１７】
操作ボタン５は、ユーザによって操作され、当該ユーザ操作に応じた電子信号をマイコン２１に供給する。
【００１８】
電源回路３０は、マイコン２１、表示画面３、および、操作ボタン５を含む負荷回路２０に、当該負荷回路を動作させる電力を供給する。
【００１９】
蓄電部３５は、電源回路３０が負荷回路２０に供給する電力の供給元として機能する。蓄電部３５はキャパシタでも良いし、充電池でもよい。
【００２０】
発電装置５０は、運動エネルギーを電力に変換することで誘導起電力を発生させる装置である。発電装置５０は、発電した電力を電源回路３０を介して蓄電部３５に蓄電する。
【００２１】
〔発電装置５０の構成について〕
図３は、電子機器１０１における発電装置５０の配置構成と、発電装置５０の装置構成と、を模式的に示す図である。
【００２２】
発電装置５０は、電子機器１０１の筐体１０内に収容されている。図３に示すように、発電装置５０は、装置外殻５１と、装置外殻５１内に収容された、可動部５２、固定部５３、および、ばね５４と、を備えている。可動部５２は、磁束を発生させる永久磁石である。固定部５３は、コイルである。
【００２３】
発電装置５０の装置外殻５１は、筐体１０の正面視下端部（以下、単に「下端部」と称する）１１ａの側から、正面視上端部（以下、単に「上端部」と称する）１１ｂの側に向かって延伸している。また、装置外殻５１は、筐体１０の下端部１１ａから、上端部１１ｂに亘って延伸する構成であるのが望ましい。
【００２４】
電線をコイル状に巻いた固定部５３は、装置外殻５１の延伸長に亘る長さを有している。可動部５２は、コイル状の固定部５３の内部空間内を、装置外殻５１の延伸方向に移動可能に構成されている。
【００２５】
ばね５４は、装置外殻５１の下端５１ａに一端５４ａが接続され、可動部５２に他端５４ｂが接続されている。可動部５２は、装置外殻５１に、ばね５４によって片ばね支持され、ばね５４の弾性を利用して装置外殻５１内を、装置外殻５１の下端５１ａから上端５１ｂに亘る範囲内を移動可能に構成されている。
【００２６】
このように、発電装置５０は、磁束を発生する磁石である可動部５２と、可動部５２を片持ち支持するばね５４と、可動部５２の可動によって電流が流れるコイルである固定部５３と、を有し、誘導起電力を発生させる。
【００２７】
また、発電装置５０の装置外殻５１は、筐体１０の下端部１１ａから、上端部１１ｂに亘って延伸し、可動部５２は、装置外殻５１の下端５１ａから上端５１ｂに亘る範囲内を移動するため、可動部５２の一回の振幅で効率よく発電することができる。
【００２８】
図４は、可動部５２が、装置外殻５１にばね５４によって片ばね支持されている場合と、装置外殻５１の延伸方向の両端部にばね１５４によって両ばね支持されている場合との、可動部５２の振幅の大きさの比較を示す表である。
【００２９】
図４に示すように、可動部５２の両側にばね１５４を固定した両ばね構成では、可動部５２の停止状態である定常状態で、可動部５２が、振幅中央に位置するように両側のばね１５４を同じにする必要がある。一方で、本実施形態では、可動部５２の片側のみがばね５４によって支持された片ばね構成であり、可動部５２の両側がばね１５４で支持された両ばね構成にくらべて、一つばねが無い分、可動部５２の振幅を大きくすることができる。このように、可動部５２を、片側だけがばね５４によって支持されている構成とすることで、両側にばね１５４を固定した場合に比べて、可動部５２の振幅範囲を広くすることができ、１回の振幅でより大きな電力を発電することができる。
【００３０】
図５は、誘導起電力を発生させるときの発電装置５０の動きを示す図である。
【００３１】
上述したように、電子機器１０１のユーザは、電子機器１０１の操作ボタン５が設けられた機器の手前側（下端部１１ａの側）から、反対方向の向こう側（上端部１１ｂの側）に向かって、可動部５２を移動させるように電子機器１０１を動かすことで、発電装置５０による発電を行うことができる。
【００３２】
図５に示すように、ユーザは、電子機器１０１を把持したユーザの手首を中心に筐体１０の上端部１１ｂが円弧を描くように電子機器１０１を回転運動させる、という手首の関節の自然な動きにより、可動部５２を装置外殻５１の延伸方向に移動させることができる。装置外殻５１内を、筐体１０の下端部１１ａの側から、上端部１１ｂの側に移動した可動部５２は、電子機器１０１の回転運動による遠心力が無くなった場合、又は、重力等の可動部５２を筐体１０の上端部１１ｂの側に移動させる力よりもばね５４の弾性力が大きくなった場合に、ばね５４の復元力により可動部５２が、電子機器１０１の下端部１１ａの側に戻ってくるように構成されている。
【００３３】
これらの可動部５２の、電子機器１０１の下端部１１ａの側から、上端部１１ｂの側への移動、および、上端部１１ｂの側から、下端部１１ａの側への移動によって、発電用コイルである固定部５３に誘導電流が発生する。発電装置５０で発生した誘導電流は、電源回路３０により直流電流に変換され、蓄電部３５に蓄えられる。そして、蓄電部３５に蓄えられた電力は、電源回路３０により安定化にされてマイコン２１、表示画面３、操作ボタン５を含む負荷回路２０の電源電力として使用される。
【００３４】
〔発電時のユーザ操作について〕
図５には、ユーザは電子機器１０１の表面１０１ａの、下端部１１ａの一辺を軸として、上端部１１ｂが円弧を描くように、電子機器１０１を回転運動させることで、発電装置５０の可動部５２を移動させて発電する例を示した。
【００３５】
図６、図７は、誘導起電力を発生させるときに、ユーザが電子機器１０１を動かす動作の別の例を示す図である。
【００３６】
図６は、ユーザが、図６（ａ）に示すように片手で掴んだ電子機器１０１を、電子機器１０１の裏面に添えた人差し指の付け根付近を軸として図６（ｂ）〜（ｉ）に示すように、回転運動させている状態を示す図である。このように、ユーザは、片手で掴んだ電子機器１０１を、電子機器１０１の裏面に添えた人差し指の付け根付近を軸として回転運動させることで、発電装置５０による発電を行うことができる。
【００３７】
また、図７は、ユーザが、図７（ａ）示すように片手で掴んだ電子機器１０１を、手首の根本を軸として図７（ｂ）〜（ｉ）に示すように、回転運動させている状態を示す図である。このように、ユーザは、片手で掴んだ電子機器１０１を、手首の根本を軸として回転運動させることで、発電装置５０による発電を行うこともできる。
【００３８】
電子機器１０１は、図５〜図７に示すように、電子機器１０１の使用時の手前側（下端部１１ａの側）よりも奥側（上端部１１ｂの側）の方が長い円弧を描く回転運動を電子機器１０１にさせることで、効率よく発電装置５０によって発電することができるように構成されている。
【００３９】
また、電子機器１０１を掴む手首を動かすという自然な動きによって電子機器１０１を回転運動させて発電させることができるため、ユーザは、電子機器１０１を掴んでいるのとは逆の手で操作ボタン５や、タッチパネルディスプレイの表示画面３に対する操作を行うことができる。よって、手首の関節の自然な動きにより円弧を描くように回転振動させることにより、発電素子で発電を行う事ができると共に、振動中でも画面が見やすく、タッチ操作も行い易い電子機器１０１を提供することができる。
【００４０】
〔発電時のディスプレイ表示の視認のし易さについて〕
図８は、誘導起電力を発生させるときの、ユーザが電子機器１０１を動かす動作に応じたディスプレイ表示の視認性を示す図であり、図８（ａ）は電子機器１０１を回転運動させたときのディスプレイ表示の視認性を示し、図８（ｂ）は電子機器１０１を上下に振動させたときのディスプレイ表示の視認性を示す。
【００４１】
図８（ａ）に示すように、電子機器１０１を、電子機器１０１を掴むユーザの手首の動作による自然な動きで円弧を描くように回転運動させた場合、表示画面３にディスプレイ表示されている文字は、ユーザの手前側や奥側に移動しながら、上下左右にも若干移動する。また、図８（ｂ）に示すように、電子機器１０１を上下に振動させた場合は、表示画面３にディスプレイ表示されている文字や絵が上下に移動する。
【００４２】
電子機器１０１を回転運動させた場合に、表示画面３にディスプレイ表示されている文字や絵が上下に動く移動量を、電子機器１０１を上下に振動させた場合に、表示画面３にディスプレイ表示されている文字や絵が上下に動く移動量と比較すると、電子機器１０１を回転運動させた場合の方が相対的に上下に動く移動量が小さくなる。よって、発電装置５０によって発電させるために電子機器１０１を動かした場合の、表示画面３にディスプレイ表示されている文字や絵の視認性は、電子機器１０１を回転運動させた場合の方が良くなる。
【００４３】
上述したように、電子機器１０１の発電装置５０は、可動部５２をユーザの手前側である筐体１０の下端部１１ａの側から、ユーザの奥側である筐体１０の上端部１１ｂの側に移動させるように、電子機器１０１を回転運動させることで効率よく発電することができるように構成されている。よって、電子機器１０１は、電子機器１０１を掴むユーザの手首の運動による自然な動きで円弧を描くように回転運動させることで、効率よく発電することができ、且つ、発電中であっても表示画面３にディスプレイ表示されている文字や絵が視認しやすいように構成されている。
【００４４】
また、例えば、電子機器１０１を上下、前後、左右の何れかの方向に動かして発電する必要がある場合には、少なくとも肘および肩の何れか一方を支点にして、腕の大部分を動かす必要が生じ、体の負担が大きくなる。一方で、電子機器１０１の発電装置５０による発電を行う場合には、ユーザは、電子機器１０１を手に持って手首の自然な動きで円弧を描くように動かすことで、肘と肩とを固定した状態でも容易に電子機器１０１を回転運動させて発電することができる。
【００４５】
〔実施形態２〕
本発明の実施形態２について、図９〜図１１に基づいて説明すれば、以下のとおりである。なお、説明の便宜上、前記実施形態にて説明した部材と同じ機能を有する部材については、同じ符号を付記し、その説明を省略する。
【００４６】
図９は、電子機器１０２の構成を模式的に示す図であり、図１０は電子機器１０２の概略構成を示すブロック図である。図１１は、電子機器１０２における発電装置５０の配置構成を模式的に示す図である。
【００４７】
〔電子機器１０２の構成について〕
図９に示すように、電子機器１０２は、テレビやＶＴＲ等の操作用のリモコンである。電子機器１０２は、筐体１０のリモコン表面１０２ａには、チャンネル切替スイッチ８ｂや音量切替スイッチ８ａ等の複数の操作ボタン８が配置されている。また、電子機器１０２は、筐体１０の上端部１１ｂに、テレビやＶＴＲ等の他の機器を操作するための操作信号を発信する信号発信部６０が設けられている。信号発信部６０は、例えば、赤外線ＬＥＤを含む構成とすることができる。
【００４８】
電子機器１０２は、図１０に示すように、負荷回路１２０、電源回路３０、発電装置５０、蓄電部３５を含んでいる。
【００４９】
負荷回路１２０は、マイコン２１と、信号発信部６０と、操作ボタン８と、を含んでいる。マイコン２１は、電子機器１０２の各部を制御する制御部として機能する。
【００５０】
電子機器１０２は、チャンネル切替スイッチ８ｂや音量切替スイッチ８ａ等の操作ボタン８に対するユーザ操作による操作信号をマイコン２１の制御に応じて、信号発信部６０から操作信号を発信することで、テレビやＶＴＲ等の操作対象機器を操作する。
【００５１】
電源回路３０は、マイコン２１、信号発信部６０、操作ボタン８、を含む負荷回路１２０を動作させる電力を供給する。電源回路３０には、蓄電部３５から電力が供給される。蓄電部３５には、発電装置５０によって発電された電力が電源回路３０を介して供給され、蓄電される。
【００５２】
図１１に示すように、発電装置５０は、電子機器１０２の筐体１０内に収容されている。発電装置５０の装置外殻５１は、筐体１０の下端部１１ａの側から、上端部１１ｂの側に向かって延伸している。また、装置外殻５１は、筐体１０の下端部１１ａから、上端部１１ｂに亘って延伸する構成であるのが望ましい。
【００５３】
ばね５４は、装置外殻５１の下端５１ａに一端５４ａが接続され、可動部５２に他端５４ｂが接続されている。可動部５２は、装置外殻５１に、ばね５４によって片ばね支持され、ばね５４の弾性を利用して装置外殻５１内を、装置外殻５１の下端５１ａから上端５１ｂに亘る範囲内を移動可能に構成されている。
【００５４】
つまり、発電装置５０は、電子機器１０２の、ユーザの手前側にばね５４の一端５４ａが接続され、ばね５４の他端５４ｂに接続された可動部５２が、電子機器１０２の信号発信方向であるユーザの奥側に向かって移動するように構成されている。電子機器１０２は、信号発信部６０から発信される信号が操作対象機器の受光部内に入るように、機器の上端部１１ｂの側を操作対象機器に向けるように回転運動させて用いられる。
【００５５】
電子機器１０２の発電装置５０は、装置外殻５１が、筐体１０の下端部１１ａから、上端部１１ｂに亘って延伸し、可動部５２が、装置外殻５１の下端５１ａから上端５１ｂに亘る範囲内を移動するように構成されている。この構成によれば、ユーザが操作信号を操作対象機器に送るために、電子機器１０２の上端部１１ｂに設けられた信号発信部６０を操作対象機器に向けるように電子機器１０２に対して回転運動を行うことで、効率よく発電することができる。また、信号発信部６０を操作対象機器に向けるための回転運動で発電装置５０による発電を行うことができるため、発電装置５０による発電を行いながらでも、電子機器１０２のリモコン表面１０２ａに設けられた操作ボタン８を見やすく、且つ、操作し易くすることができる。
【００５６】
〔実施形態３〕
本発明の実施形態３について、図１２に基づいて説明すれば、以下のとおりである。なお、説明の便宜上、前記実施形態にて説明した部材と同じ機能を有する部材については、同じ符号を付記し、その説明を省略する。
【００５７】
図１２は、電子機器１０３における発電装置５０の配置構成を模式的に示す図である。なお、電子機器１０３の概略構成は、図２のブロック図に示した電子機器１０１の概略構成と同様であり、その説明を省略する。
【００５８】
電子機器１０３は、大型のスマートフォン、および、タブレットＰＣ等の携帯型端末である。電子機器１０３は、図１２に示すように、ユーザが、少なくとも片方の手で掴んで保持して使用することができる大きさ、および、重さの機器である。大型のスマートフォン、および、タブレットＰＣ等の携帯型端末では、一般的に重心位置が機器中央部にある。そのため、ユーザが片手で電子機器１０３を保持する場合には、重心位置に近い機器中央部を親指と人差し指で挟み込むように持つことで、安定して保持することができる。
【００５９】
また、電子機器１０３は、ユーザが、手首の根本を回転軸Ｘ２として回転運動させることで、発電装置５０による発電を効率よく行うことができるように構成されている。回転軸Ｘ２は、概ね電子機器１０３の正面視中央部を起点として、ユーザの手前側に７０〜９０ｍｍの位置にくる。
【００６０】
ばね５４の支点Ｘ１は、図１２（ａ）に示すように、回転軸Ｘ２と略一致する位置であって、電子機器１０３の正面視中央部を起点としてユーザの手前側に７０〜９０ｍｍの位置に設置されている構成であってもよい。この構成によれば、電子機器１０３の回転による遠心力が可動部５２に無駄なく伝わる為、発電装置５０による良好な発電が行われる。また、電子機器１０３を保持するユーザにとって、回転軸Ｘ２に可動部５２が位置するため、可動部５２の動きによる慣性モーメントが小さくなる。よって、電子機器１０３を回転運動させて、ユーザの手首に負担をかけることなく、発電装置５０による発電を行うことができる。
【００６１】
また、ばね５４の支点Ｘ１は、図１２（ｂ）に示すように、電子機器１０３の正面視略中央部に設置されている構成であってもよい。この構成によれば、電子機器１０３の回転による遠心力が可動部５２により大きく伝わる為、発電装置５０による良好な発電を行うことが出来る。
【００６２】
また、発電装置５０は、図１２（ｃ）に示すように、可動部５２が筐体１０の上端部１１ｂ近傍まで移動可能に支点Ｘ１の位置が設定されている構成であってもよい。この構成によれば、電子機器１０３の回転によって可動部５２にかかる遠心力が大きくなるため、発電装置５０による良好な発電を行うことが出来る。
【００６３】
このように、ばね５４の支点Ｘ１は、電子機器１０３の正面視中央部を起点として正面視下側７０〜９０ｍｍよりもユーザの奥側で、装置外殻５１の上端５１ｂが筐体１０の上端部１１ｂ内に収まる範囲内の位置に設定されている。発電装置５０は、可動部５２が筐体１０の上端部１１ｂ近傍まで移動可能に配置されている場合に、発電量を多く得ることができる。よって、発電装置５０による発電効率の観点からは、ばね５４の支点Ｘ１は、回転軸Ｘ２の位置よりも、正面視上側、すなわちユーザの奥側に配置するのが望ましい。
【００６４】
一方で、電子機器１０３の回転運動によって可動部５２が移動した際に、電子機器１０３の重心位置が大きく移動すると、電子機器１０３を回転運動させているユーザの手首にかかる負担が大きくなる。よって、電子機器１０３を回転軸Ｘ２で回転させる際のユーザの手首への負担の観点からは、ばね５４の支点Ｘ１は、回転軸Ｘ２と略一致する位置に設定されているのが望ましい。
【００６５】
大型のスマートフォン、および、タブレットＰＣ等の携帯型端末では、電子機器１０３をユーザの手首の運動によって回転運動させる際のユーザ負荷が大きくなるが、これらの構成によれば、ユーザの手首の運動によって発電装置５０の可動部５２に働く遠心力を効率よく活用して、発電装置５０による発電を行うことができる。また、発電装置５０のばね５４の支点Ｘ１を回転軸Ｘ２よりもユーザの奥側に配置することで、回転運動による遠心力を用いて、小さな回転運動でも効率よく発電することができる。
【００６６】
〔まとめ〕
本発明の態様１に係る電子機器１０１は、筐体１０内に発電装置５０を備えた電子機器１０１において、前記発電装置５０は、前記筐体１０の下端部１１ａの側から上端部１１ｂの側に向かって延伸する装置外殻５１と、前記装置外殻５１内に収容され、当該装置外殻５１の延伸方向に移動して誘導起電力を発生させる可動部５２と、前記装置外殻５１の下端５１ａに一端５４ａが接続され、前記可動部５２に他端５４ｂが接続されたばね５４と、を備えている構成である。
【００６７】
上記の構成によれば、電子機器１０１を掴むユーザの手首の動作による自然な動きで、電子機器１０１の上端部１１ｂが円弧を描くような回転運動をさせて、発電装置５０による発電を行うことができる。また、可動部５２は、装置外殻５１の下端５１ａに一端５４ａが接続された片ばね５４に接続されているため、可動部５２の一回の振幅を大きくすることができ、効率よく発電することができる。
【００６８】
本発明の態様２に係る電子機器１０１は、上記の態様１において、前記筐体１０の表面１０１ａには、下端部１１ａの側に操作ボタン（操作子）５が設けられている構成としてもよい。
【００６９】
上記の構成によれば、ユーザは、電子機器１０１を掴む手首の動作で、電子機器１０１の上端部１１ｂが円弧を描くような回転運動をさせながらであっても操作ボタン５に対する操作を容易に行うことができる。よって、ユーザは電子機器１０１に対して発電を行わせる動作と、電子機器１０１の機能を使用するためのユーザ操作とを同時に効率よく行うことができる。
【００７０】
本発明の態様３に係る電子機器１０２は、上記の態様１において、前記筐体１０の上端部１１ｂには、他の機器を操作するための操作信号を発信する信号発信部６０が設けられている構成としてもよい。
【００７１】
上記の構成によれば、電子機器１０２は、信号発信部６０を操作対象の他の機器に向ける動作によって、効率よく発電することができる。
【００７２】
本発明の態様４に係る電子機器１０１，１０２は、上記の態様１から３において、前記装置外殻５１は、前記筐体１０の下端部１１ａから上端部１１ｂに亘って延伸している構成としてもよい。
【００７３】
上記の構成によれば、発電装置５０の可動部５２は、筐体１０の下端部１１ａから上端部１１ｂに亘る範囲を移動することができる。よって、可動部５２の一回の振幅を大きくすることができ、効率よく発電することができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
３  表示画面
５、８  操作ボタン
６  カメラレンズ
８ａ  音量切替スイッチ
８ｂ  チャンネル切替スイッチ
１０  筐体
１１ａ  下端部
１１ｂ  上端部
２０、１２０  負荷回路
２１  マイコン
３０  電源回路
３５  蓄電部
５０  発電装置
５１  装置外殻
５１ａ  下端
５１ｂ  上端
５２  可動部
５３  固定部
５４ａ  一端
５４ｂ  他端
６０  信号発信部
１０１、１０２  電子機器
１０１ａ  表面
１０２ａ  リモコン表面
【図１】
2019004645.tif 000003
【図２】
2019004645.tif 000004
【図３】
2019004645.tif 000005
【図４】
2019004645.tif 000006
【図５】
2019004645.tif 000007
【図６】
2019004645.tif 000008
【図７】
2019004645.tif 000009
【図８】
2019004645.tif 000010
【図９】
2019004645.tif 000011
【図１０】
2019004645.tif 000012
【図１１】
2019004645.tif 000013
【図１２】
2019004645.tif 000014